(57)【特許請求の範囲】
【請求項１】
自身の使用履歴を表す媒体情報を記憶する記憶素子を備えるテープ媒体を収納するための複数のスロットを有し、かつテープライブラリ装置に投入されるテープ媒体収納マガジンであって、
前記スロットごとにテープ媒体良否判定表示手段が設けられていると共に、
各テープ媒体良否判定表示手段は、
対応するスロットに前記テープ媒体が挿入されたことを確認したとき、起動信号を出力する媒体挿入確認手段と、
該媒体挿入確認手段により前記起動信号が出力されたとき、前記対応するスロットに挿入された前記テープ媒体の前記記憶素子から前記媒体情報を読み取る媒体情報読取り手段と、
該媒体情報読取り手段で読み取られた前記媒体情報に基づいて、前記対応するスロットに挿入された前記テープ媒体の良否を判定する媒体良否判定手段と、
該媒体良否判定手段による前記テープ媒体の良否の判定結果を表示する表示手段とから構成されていることを特徴とするテープ媒体収納マガジン。
【請求項２】
前記媒体情報読取り手段は、
前記テープ媒体の前記記憶素子から前記媒体情報を読み取る読取素子と、
該読取素子で読み取られた読取り信号をアナログ／デジタル変換してデジタルデータとして出力する読取回路とから構成され、
前記媒体良否判定手段は、
前記読取回路から出力される前記デジタルデータを記憶する記憶回路と、
前記テープ媒体の良否に対応した良否判定用情報をあらかじめ記憶する判定情報回路と、
前記記憶回路に記憶されている前記デジタルデータと前記判定情報回路に記憶されている前記良否判定用情報とを比較し、比較結果を良否判定信号として出力する比較回路とから構成され、
前記表示手段は、
前記比較回路から出力された前記良否判定信号に基づいて前記テープ媒体の良否の判定結果を表示する構成とされていることを特徴とする請求項１記載のテープ媒体収納マガジン。
【請求項３】
前記テープ媒体は、
前記記憶素子が所定の部位に設けられているテープカートリッジとして構成され、
前記読取素子は、
前記テープ媒体が前記スロットに挿入されたとき、前記記憶素子から前記媒体情報を読み取り可能な位置に配置されていることを特徴とする請求項２記載のテープ媒体収納マガジン。
【請求項４】
自身の使用履歴を表す媒体情報を記憶する記憶素子を備えるテープ媒体を収納するための複数のスロットを有し、かつテープライブラリ装置に投入されるテープ媒体収納マガジンに用いられる媒体良否判定方法であって、
前記スロットごとにテープ媒体良否判定表示手段を設け、
各テープ媒体良否判定表示手段は、
対応するスロットに前記テープ媒体が挿入されたことを確認したとき、起動信号を出力する媒体挿入確認処理と、
該媒体挿入確認処理により前記起動信号が出力されたとき、前記対応するスロットに挿入された前記テープ媒体の前記記憶素子から前記媒体情報を読み取る媒体情報読取り処理と、
該媒体情報読取り処理で読み取られた前記媒体情報に基づいて、前記対応するスロットに挿入された前記テープ媒体の良否を判定する媒体良否判定処理と、
該媒体良否判定処理による前記テープ媒体の良否の判定結果を表示する表示処理とを行うことを特徴とする媒体良否判定方法。
【請求項５】
コンピュータを、請求項１乃至３のいずれか一に記載のテープ媒体収納マガジンの媒体良否判定手段として機能させるための媒体良否判定表示制御プログラム。
【発明の詳細な説明】
【技術分野】
【０００１】
この発明は、テープ媒体収納マガジン、該テープ媒体収納マガジンに用いられる媒体良否判定表示方法及び媒体良否判定表示制御プログラムに係り、特に、可搬媒体である磁気テープなどのテープ媒体を収納してテープライブラリ装置に投入する場合に用いて好適なテープ媒体収納マガジン、該テープ媒体収納マガジンに用いられる媒体良否判定表示方法及び媒体良否判定表示制御プログラムに関する。
【背景技術】
【０００２】
テープ媒体である磁気テープは、テープカートリッジとして構成され、使用履歴を表す媒体情報が記憶されるメモリチップなどの記憶素子が所定の部位に設けられている。テープ媒体はテープ媒体収納マガジンに収納され、同テープ媒体収納マガジンがテープライブラリ装置に投入される。テープライブラリ装置の媒体搬送部分（ハンド部分）やテープドライブ部分では、テープ媒体の良否を判定する手段が設けられ、同テープ媒体の記憶素子に記憶されている媒体情報が読み取られて良否の判定が行われる。
【０００３】
この種の関連する技術としては、たとえば、特許文献１に記載されたディスクチェンジャーがある。
このディスクチェンジャーでは、ディスクマガジンのタイプ及び識別番号を認識する手段と、ディスクマガジン内のディスクの有無を検出する手段と、ディスクマガジン内のディスクの情報を読み取る手段と、ディスクマガジンのタイプ及び識別番号並びにディスクマガジン内のディスクの有無に関する情報を含むデータテーブルを記憶する手段とを有している。
【特許文献１】特開２０００−２５１３７１号公報（要約書、図１）
【発明の開示】
【発明が解決しようとする課題】
【０００４】
しかしながら、上記文献を含む上記技術では、次のような問題点があった。
すなわち、テープ媒体の良否を確認するためには、同テープ媒体が収納されているテープ媒体収納マガジンをテープライブラリ装置内に一度投入する必要がある。そして、テープ媒体が不良と判定された場合、そのテープ媒体を交換するために、テープライブラリ装置からテープ媒体収納マガジンを取り出して同テープ媒体を交換し、再度スタートさせる必要があり、テープライブラリ装置の稼動率が低下するという問題点がある。
【０００５】
また、特許文献１に記載されたディスクチェンジャーでは、システム運用開始までの時間短縮が目的となっているため、ディスク（媒体）を識別するタイミングが起動時に限定され、この発明とは構成が異なり、上記の問題点は改善されない。
【０００６】
この発明は、上述の事情に鑑みてなされたもので、テープライブラリ装置の稼動率が向上するテープ媒体収納マガジン、媒体良否判定表示方法及び媒体良否判定表示制御プログラムを提供することを目的としている。
【課題を解決するための手段】
【０００７】
上記課題を解決するために、この発明の第１の構成は、自身の使用履歴を表す媒体情報を記憶する記憶素子を備えるテープ媒体を収納するための複数のスロットを有し、かつテープライブラリ装置に投入されるテープ媒体収納マガジンに係り、前記スロットごとにテープ媒体良否判定表示手段が設けられていると共に、各テープ媒体良否判定表示手段は、対応するスロットに前記テープ媒体が挿入されたことを確認したとき、起動信号を出力する媒体挿入確認手段と、該媒体挿入確認手段により前記起動信号が出力されたとき、前記対応するスロットに挿入された前記テープ媒体の前記記憶素子から前記媒体情報を読み取る媒体情報読取り手段と、該媒体情報読取り手段で読み取られた前記媒体情報に基づいて、前記対応するスロットに挿入された前記テープ媒体の良否を判定する媒体良否判定手段と、該媒体良否判定手段による前記テープ媒体の良否の判定結果を表示する表示手段とから構成されていることを特徴としている。
【０００８】
この発明の第２の構成は、自身の使用履歴を表す媒体情報を記憶する記憶素子を備えるテープ媒体を収納するための複数のスロットを有し、かつテープライブラリ装置に投入されるテープ媒体収納マガジンに用いられる媒体良否判定方法に係り、前記スロットごとにテープ媒体良否判定表示手段を設け、各テープ媒体良否判定表示手段は、対応するスロットに前記テープ媒体が挿入されたことを確認したとき、起動信号を出力する媒体挿入確認処理と、該媒体挿入確認処理により前記起動信号が出力されたとき、前記対応するスロットに挿入された前記テープ媒体の前記記憶素子から前記媒体情報を読み取る媒体情報読取り処理と、該媒体情報読取り処理で読み取られた前記媒体情報に基づいて、前記対応するスロットに挿入された前記テープ媒体の良否を判定する媒体良否判定処理と、該媒体良否判定処理による前記テープ媒体の良否の判定結果を表示する表示処理とを行うことを特徴としている。
【発明の効果】
【０００９】
この発明の構成によれば、テープ媒体が同テープ媒体の使用履歴を表す媒体情報を記憶する記憶素子を有し、同テープ媒体が挿入されたとき、テープ媒体良否判定表示手段により、上記記憶素子から上記媒体情報が読み取られ、この読み取られた媒体情報に基づいて、当該テープ媒体の良否が判定されると共に判定結果が表示される。これにより、テープ媒体をテープライブラリ装置内に投入することなく、テープ媒体収納マガジンにセットした段階でテープ媒体の不良を判定でき、除去することができる。また、正常なテープ媒体のみがテープライブラリ装置に投入されるので、不良媒体の排除のために同テープライブラリ装置を停止させ、不良媒体を交換して再度投入する作業が不要となり、不良媒体によるテープライブラリ装置の稼動停止を防止できる。これにより、テープライブラリ装置の稼動率を向上させることができる。
【発明を実施するための最良の形態】
【００１０】
テープ媒体が同テープ媒体の使用履歴を表す媒体情報を記憶する記憶素子を有し、同テープ媒体が上記スロットに挿入されたとき、上記記憶素子から上記媒体情報を読み取り、この読み取られた媒体情報に基づいて、当該テープ媒体の良否を判定すると共に判定結果を表示するテープ媒体良否判定表示手段が設けられているテープ媒体収納マガジンを提供する。
【００１１】
また、この発明では、上記テープ媒体良否判定表示手段は、上記テープ媒体が上記スロットに挿入されたことを確認したとき、起動信号を出力する媒体挿入確認手段と、同媒体挿入確認手段により上記起動信号が出力されたとき、上記テープ媒体の上記記憶素子から上記媒体情報を読み取る媒体情報読取り手段と、同媒体情報読取り手段で読み取られた上記媒体情報に基づいて、当該テープ媒体の良否を判定する媒体良否判定手段と、同媒体良否判定手段による上記テープ媒体の良否の判定結果を表示する表示手段とから構成されている。
【００１２】
また、この発明では、上記媒体情報読取り手段は、上記テープ媒体の上記記憶素子から上記媒体情報を読み取る読取素子と、同読取素子で読み取られた読取り信号をアナログ／デジタル変換してデジタルデータとして出力する読取回路とから構成され、上記媒体良否判定手段は、上記読取回路から出力される上記デジタルデータを記憶する記憶回路と、上記テープ媒体の良否に対応した良否判定用情報をあらかじめ記憶する判定情報回路と、上記記憶回路に記憶されている上記デジタルデータと上記判定情報回路に記憶されている上記良否判定用情報とを比較し、比較結果を良否判定信号として出力する比較回路とから構成されている。また、上記表示手段は、上記比較回路から出力された上記良否判定信号に基づいて上記テープ媒体の良否の判定結果を表示する構成とされている。
【００１３】
また、この発明では、上記テープ媒体は、上記記憶素子が所定の部位に設けられているテープカートリッジとして構成され、上記読取素子は、上記テープ媒体が上記スロットに挿入されたとき、上記記憶素子から上記媒体情報を読み取り可能な位置に配置されている。
【実施例】
【００１４】
図１は、この発明の一実施例であるテープ媒体収納マガジン及び同テープ媒体収納マガジンが投入されるテープライブラリ装置の要部の構成を示す図である。
この例のテープ媒体収納マガジン（以下、「マガジン」という）１０は、同図に示すように、複数のマガジンセル（スロット）１１，…，１１を有し、同マガジンセル１１，…，１１にテープ媒体（以下、「媒体」という）１２が収納されるようになっている。媒体１２は、同媒体１２の使用履歴を表す媒体情報を記憶するメモリチップなどの図示しない記憶素子が所定の部位に設けられたテープカートリッジとして構成されている。マガジン１０の側面には、マガジンセル１１，…，１１に対応して判定回路２０，…，２０がそれぞれ設けられている。判定回路２０は、媒体１２がマガジンセル１１に挿入されたとき、上記記憶素子から媒体情報を読み取り、この読み取られた媒体情報に基づいて、当該媒体１２の良否を判定すると共に判定結果を表示する。このマガジン１０は、媒体１２が収納された状態で、テープライブラリ装置３０のマガジン投入口３１から投入され、また、着脱可能になっている。
【００１５】
図２は、図１中の判定回路２０電気的構成を示すブロック図である。
この判定回路２０は、同図２に示すように、マガジン１０全体を制御するコンピュータとしてのＣＰＵ（中央処理装置）２０ａ及び同ＣＰＵ２０ａを動作させるための媒体良否判定表示制御プログラムが記録されたＲＯＭ（Read Only Memory）２０ｂを有している。特に、この実施例では、判定回路２０は、媒体挿入確認回路２１と、読取素子２２と、読取回路２３と、記憶回路２４と、判定情報回路２５と、比較回路２６と、発光回路２７と、発光素子２８と、電池２９とから構成されている。媒体挿入確認回路２１は、媒体１２がマガジンセル１１に挿入されたことを確認したとき、起動信号ｄｓを出力する。読取素子２２は、テープ媒体１２がマガジンセル１１に挿入されたとき、たとえば電磁的に結合されて上記記憶素子から媒体情報を読取可能な位置に配置され、同記憶素子から媒体情報を読み取って読取り信号ｒｓを出力する。
【００１６】
読取回路２３は、媒体挿入確認回路２１から起動信号ｄｓが出力されたとき、読取素子２２で読み取られた読取り信号ｒｓをアナログ／デジタル変換してデジタルデータｄｄとして出力する。記憶回路２４は、たとえばＲＡＭ（Random Access Memory）で構成され、読取回路２３から出力されるデジタルデータｄｄを記憶する。判定情報回路２５は、たとえばＲＯＭ（Read Only Memory）で構成され、テープ媒体１２の良否に対応した良否判定用情報ｇｄをあらかじめ記憶する。比較回路２６は、記憶回路２４から読み出されるデジタルデータｄｍと判定情報回路２５に記憶されている良否判定用情報ｇｄとを比較し、比較結果を良否判定信号ｇｓとして出力する。発光回路２７は、比較回路２６から出力された良否判定信号ｇｓに基づいて、テープ媒体１２の良否の判定結果を発光素子２８により表示する。発光素子２８は、たとえば発光ダイオードなどで構成され、良否判定信号ｇｓが媒体１２の不良を示すとき、発光回路２７により発光する。電池２９は、判定回路２０内の各部に電力を供給する。
【００１７】
図３は、図１中のマガジン１０のＡ方向透過矢視図である。
このマガジン１０では、同図３に示すように、判定回路２０中の媒体挿入確認回路２１が、マガジンセル１１の奥に設置され、媒体１２が奥まで挿入されることで、起動信号ｄｓを出力する。
【００１８】
図４は、図１中のマガジン１０のＢ方向矢視図である。
このマガジン１０では、同図４に示すように、発光素子２８，…，２８が各マガジンセル１１，…，１１の正面右側にそれぞれ配置されている。
【００１９】
次に、この例のマガジン１０に用いられる媒体良否判定方法の処理内容について説明する。
このマガジン１０では、媒体１２が同テープ媒体１２の使用履歴を表す媒体情報を記憶する記憶素子を有し、同媒体１２がマガジンセル１１に挿入されたとき、同記憶素子から同媒体情報が読み取られ、この読み取られた媒体情報に基づいて、当該媒体１２の良否が判定されると共に判定結果が表示される。
【００２０】
すなわち、媒体１２がマガジンセル１１に挿入されたとき、媒体挿入確認回路２１から起動信号ｄｓが出力される（媒体挿入確認処理）。また、テープ媒体１２がマガジンセル１１に挿入されたとき、読取素子２２は、マガジンセル１１と電磁的に結合されて記憶素子から媒体情報を読取可能な位置にあり、同読取素子２２により同記憶素子から媒体情報が読み取られて読取り信号ｒｓが出力される（媒体情報読取り処理）。媒体挿入確認回路２１から起動信号ｄｓが出力されたとき、読取回路２３により、読取素子２２から出力される読取り信号ｒｓがアナログ／デジタル変換され、デジタルデータｄｄが出力される。デジタルデータｄｄは、記憶回路２４で記憶される。比較回路２６により、記憶回路２４から読み出されるデジタルデータｄｍと判定情報回路２５に記憶されている良否判定用情報ｇｄとが比較され、比較結果が良否判定信号ｇｓとして出力される（媒体良否判定処理）。発光回路２７により、良否判定信号ｇｓに基づいて、テープ媒体１２の良否の判定結果が発光素子２８により表示され、同良否判定信号ｇｓが媒体１２の不良を示すとき、発光素子２８が発光する（表示処理）。
【００２１】
以上のように、この実施例では、媒体１２がマガジンセル１１に挿入されたとき、同記憶素子から同媒体情報が読み取られ、この読み取られた媒体情報に基づいて、当該媒体１２の良否が判定されると共に判定結果が表示されるので、媒体１２をテープライブラリ装置３０内に投入することなく、マガジン１０にセットした段階で媒体１２の不良が判定され、除去することが可能となる。また、媒体１２の不良が判定されたとき、該当する発光素子２８が発光するので、不良の媒体１２のある箇所が容易に識別される。また、正常な媒体１２のみがテープライブラリ装置３０に投入されるので、不良媒体の排除のために同テープライブラリ装置３０を停止させ、不良媒体を交換して再度投入する作業が不要となり、不良媒体によるテープライブラリ装置３０の稼動停止が防止される。これにより、テープライブラリ装置３０の稼動率が向上する。
【００２２】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、良否判定信号ｇｓが媒体１２の不良を示すとき、発光素子２８が発光するが、良否判定信号ｇｓが媒体１２の正常を示すとき、発光素子２８を発光させ、不良を示すとき、発光素子２８が発光しないようにしても良い。また、図１中のマガジン１０及びテープライブラリ装置３０は、同図に示す構成に限定されない。
【産業上の利用可能性】
【００２３】
この発明は、テープ媒体を複数個収納し、かつテープライブラリ装置に投入されるテープ媒体収納マガジン全般に適用でき、また、使用履歴を表す媒体情報を記憶するメモリチップなどが所定の部位に設けられたデータ記憶媒体が製作されたときにも適用できる。
【図面の簡単な説明】
【００２４】
【図１】この発明の一実施例であるテープ媒体収納マガジン及び同テープ媒体収納マガジンが投入されるテープライブラリ装置の要部の構成を示す図である。
【図２】図１中の判定回路２０電気的構成を示すブロック図である。
【図３】図１中のマガジン１０のＡ方向透過矢視図である。
【図４】図１中のマガジン１０のＢ方向矢視図である。
【符号の説明】
【００２５】
１０      テープ媒体収納マガジン
１１      マガジンセル（スロット）
１２      テープ媒体
２０      判定回路（テープ媒体良否判定表示手段）
２０ａ      ＣＰＵ（中央処理装置）
２０ｂ      ＲＯＭ（Read Only Memory）
２１      媒体挿入確認回路（媒体挿入確認手段）
２２      読取素子（媒体情報読取り手段の一部）
２３      読取回路（媒体情報読取り手段の一部）
２４      記憶回路（媒体良否判定手段の一部）
２５      判定情報回路（媒体良否判定手段の一部）
２６      比較回路（媒体良否判定手段の一部）
２７      発光回路（表示手段の一部）
２８      発光素子（表示手段の一部）
３０      テープライブラリ装置
３１      マガジン投入口
【図１】
0005181735.tif 000002
【図２】
0005181735.tif 000003
【図３】
0005181735.tif 000004
【図４】
0005181735.tif 000005